(57)【要約】【課題】            いつでも清潔に塗布できる、口紅、棒状のリップグロス、スティックファンデーションなどの棒状化粧料容器の提供を目的とする。【解決手段】        棒状化粧料１を収納保持し、棒状化粧料１を先端の出没口２１より出没できる繰り出し機構（図示しない）を内装し、側壁に嵌合部２２を設けた容器本体２と、この容器本体２の出没口２１を覆い、前記嵌合部２２に抜脱自在に嵌合するキャップ３と、このキャップ３を前記容器本体２に嵌合した時、キャップ３内の、容器本体２の出没口２１に相対する位置に止着した殺菌ユニット４と、より成り、前記容器本体２にキャップ３を嵌合した時、殺菌ユニット４より出没口２１を通して棒状化粧料１先端の塗布部分１１に紫外線を照射し、殺菌する。【選択図】          図１
2022002592.tif 000002
【特許請求の範囲】
【請求項１】
棒状化粧料（１）を収納保持し、棒状化粧料（１）を先端の出没口（２１）より出没できる繰り出し機構（２４）を内装し、側壁に嵌合部（２２）を設けた容器本体（２）と、
該容器本体（２）の出没口（２１）を覆い、前記嵌合部（２２）に抜脱自在に嵌合するキャップ（３）と、
該キャップ（３）が前記容器本体（２）に嵌合した時、キャップ（３）内の、容器本体（２）の出没口（２１）に相対する位置に止着した殺菌ユニット（４）と、
より成り、前記容器本体（２）にキャップ（３）を嵌合した時、殺菌ユニット（４）より出没口（２１）を通して棒状化粧料（１）の塗布部分（１１）に紫外線光を照射し、殺菌することを特徴とする棒状化粧料容器。
【請求項２】
前記殺菌ユニット（４）は、紫外線光を照射する紫外線光照射部（４１）と、該紫外線光照射部（４１）の点灯及び消灯をコントロールする電源スイッチ（４２）と、電源部（４３）とが主な構成要素であることを特徴とする請求項１記載の棒状化粧料容器。
【請求項３】
前記殺菌ユニット（４）に、紫外線光照射部（４１）点灯後、所定時間で消灯するタイマー部（４４）を付加したことを特徴とする請求項２記載の棒状化粧料容器。
【請求項４】
前記容器本体（２）の嵌合部（２２）と出没口（２１）の間に段状の当接部（２３）を設け、
キャップ（３）内に該当接部（２３）に当接して上下摺動する検知部材（３１）を、常時開口部（３２）側に弾発された状態で内装し、該検知部材（３１）は、容器本体（２）にキャップ（３）を嵌合させた時、当接部（２３）に当接してキャップ（３）の奥部に位置し、キャップ（３）の抜脱時に弾発力により開口部（３２）側に復帰し、
前記殺菌ユニット（４）に、前記キャップ（３）の検知部材（３１）の位置情報によりキャップ（３）嵌合の有無を検知する嵌合センサー（４５）を付加したことを特徴とする請求項２、請求項３いずれかの項記載の棒状化粧料容器。
【請求項５】
前記殺菌ユニット（４）に、紫外線光照射部（４１）点灯中に、嵌合センサー（４５）がキャップ（３）の抜脱状態を検知した時、紫外線光照射部（４１）を消灯させる安全装置（４６）を付加したことを特徴とする請求項４記載の棒状化粧料容器。
【請求項６】
前記電源スイッチ（４２）を、前記嵌合センサー（４５）のキャップ（３）嵌合状態検知時に紫外線光照射部（４１）を点灯させ、キャップ（３）抜脱状態検知時に紫外線光照射部（４１）を消灯させる、自動スイッチ（４２１）としたことを特徴とする請求項４、請求項５いずれかの項記載の棒状化粧料容器。
【請求項７】
前記電源スイッチ（４２）を、前記紫外線光照射部（４１）の点灯及び消灯を手動で行う手動スイッチ（４２２）としたことを特徴とする請求項４、請求項５いずれかの項記載の棒状化粧料容器。
【請求項８】
前記電源スイッチ（４２）は、前記自動スイッチ（４２１）と、手動スイッチ（４２２）の両方を並列に設けたことを特徴とする請求項４、請求項５いずれかの項記載の棒状化粧料容器。
【請求項９】
前記キャップ（３）に、紫外線光照射部（４１）の点灯を外部より目視確認できる作動確認部（４７）を設けたことを特徴とする請求項１乃至請求項８いずれかの項記載の棒状化粧料容器。
【請求項１０】
該作動確認部（４７）は、前記紫外線光照射部（４１）と並列に設けられたパイロットランプ（４７１）であることを特徴とする請求項９記載の棒状化粧料容器。
【請求項１１】
該作動確認部（４７）は、キャップ（３）若しくは容器本体（２）に設けられた、前記紫外線光照射部（４１）の光が漏れる窓部（４７２）であることを特徴とする請求項９記載の棒状化粧料容器。
【発明の詳細な説明】
【技術分野】
【０００１】
本発明は、いつでも清潔に塗布できる、口紅、棒状のリップグロス、スティックファンデーションなどの棒状化粧料容器に関するものである。
【背景技術】
【０００２】
従来、殺菌に紫外線光を利用するのは一般に知られている。特に、特許文献１にある様に、カミソリに対しては肌を傷つける危険性があるため、紫外線灯によるカミソリの消毒装置が提案されている。また、特許文献２にある様に、歯ブラシに対しては口内の菌（虫歯菌など）がブラシに付着し、しかも湿った状態で保管されるため、雑菌の増殖の可能性が大きく、紫外線灯を具備した携帯用歯ブラシケースが提案されている。また、特許文献３にある様に、パフ付き容器に対しては塗布時に顔の皮脂及び雑菌がパフに付着するため、雑菌の増殖の可能性が大きく、パフを殺菌できる殺菌部が結合された化粧品容器が提案されている。
【先行技術文献】
【特許文献】
【０００３】
【特許文献１】実全平２−１０８４６号公報
【特許文献２】特開平５−１８４４２３号公報
【特許文献３】特開２０１２−１９６４４５号公報
【発明の概要】
【発明が解決しようとする課題】
【０００４】
しかし、口紅、棒状のリップグロス、スティックファンデーションなどの棒状化粧料は、先端の塗布部分が、唇や肌に直接触れるため、塗布部分に雑菌が付着しやすかった。また近年、棒状化粧料に防腐剤などの添加物を極力使用しないのが主流となりつつあり、さらに付着した雑菌が増殖しやすくなっていたにもかかわらず、何ら対策が取られていなかった。本発明は、以上の点に鑑み、口紅、棒状のリップグロス、スティックファンデーションなどの棒状化粧料に付着した雑菌を増殖させない、清潔な棒状化粧料容器を提案するものである。
【課題を解決するための手段】
【０００５】
棒状化粧料１を収納保持し、棒状化粧料１を先端の出没口２１より出没できる繰り出し機構２４を内装し、側壁に嵌合部２２を設けた容器本体２と、この容器本体２の出没口２１を覆い、前記嵌合部２２に抜脱自在に嵌合するキャップ３と、このキャップ３を前記容器本体２に嵌合した時、キャップ３内の、容器本体２の出没口２１に相対する位置に止着した殺菌ユニット４と、より成り、前記容器本体２にキャップ３を嵌合した時、殺菌ユニット４より出没口２１を通して棒状化粧料１先端の塗布部分１１に紫外線光を照射し、殺菌する。
【０００６】
前記殺菌ユニット４は、紫外線光を照射する紫外線光照射部４１と、この紫外線光照射部４１の点灯及び消灯をコントロールする電源スイッチ４２と、電源部４３とが主な構成要素である。
【０００７】
前記殺菌ユニット４に、紫外線光照射部４１点灯後、所定時間で消灯するタイマー部４４を付加しても良い。
【０００８】
また、前記容器本体２の嵌合部２２と出没口２１の間に段状の当接部２３を設け、キャップ３内にこの当接部２３に当接して上下摺動する検知部材３１を、常時開口部３２側に弾発された状態で内装し、この検知部材３１は、容器本体２にキャップ３を嵌合させた時、当接部２３に当接してキャップ３の奥部に位置し、キャップ３の抜脱時に弾発力により開口部３２側に復帰し、前記殺菌ユニット４に、前記キャップ３の検知部材３１の位置情報によりキャップ３嵌合の有無を検知する嵌合センサー４５を付加しても良い。
【０００９】
また、前記殺菌ユニット４に、紫外線光照射部４１点灯中に、嵌合センサー４５がキャップ３の抜脱状態を検知した時、紫外線光照射部４１を消灯させる安全装置４６を付加しても良い。
【００１０】
また、前記電源スイッチ４２を、前記嵌合センサー４５のキャップ３の嵌合状態の検知時に紫外線光照射部４１を点灯させ、キャップ３の抜脱状態の検知時に紫外線光照射部４１を消灯させる、自動スイッチ４２１としても良い。
【００１１】
また、前記電源スイッチ４２を、前記紫外線光照射部４１の点灯及び消灯を手動で行う手動スイッチ４２２としても良い。
【００１２】
また、前記電源スイッチ４２は、前記自動スイッチ４２１と、手動スイッチ４２２の両方を並列に設けても良い。
【００１３】
また、前記キャップ３に、紫外線光照射部４１の点灯を外部より目視確認できる作動確認部４７を設けても良い。
【００１４】
この作動確認部４７は、前記殺菌ユニット４に設けたパイロットランプ４７１、またはキャップ３天面もしくは側面に設けられた窓部４７２である。
【発明の効果】
【００１５】
本発明は以上のように、口紅、棒状のリップグロス、スティックファンデーションなどの棒状化粧料１を収容した棒状化粧料容器のキャップ３内部に、キャップ３嵌合時、容器本体２の出没口２１を通して棒状化粧料１の先端の塗布部分１１に紫外線光を照射する殺菌ユニット４を内装している。そのため、棒状化粧料１の塗布後、棒状化粧料１を容器本体２に収納し、キャップ３を嵌合した状態で、キャップ３内の殺菌ユニット４の紫外線光照射部４１を点灯させれば、棒状化粧料１の先端の塗布部分１１は容器本体２の出没口２１を通して紫外線光を照射され、棒状化粧料１の塗布部分１１に付着した雑菌は殺菌される。
【００１６】
しかも、本発明の構成は、殺菌ユニット４としてユニット化され、キャップ３内にスペースがあれば、簡単に実施可能になっている。さらに、この殺菌ユニット４は、紫外線光照射部４１、電源スイッチ４２（手動スイッチ４２２）、及び電源部４３が必要最小限の構成であるが、必要に応じて、所定時間で消灯させるタイマー部４４、キャップ３抜き差しで点灯・消灯を行う自動スイッチ４２１、キャップ３の嵌合を検知する嵌合センサー４５、キャップが外れた状態で点灯しないようにする安全装置４６、点灯が確認できる作動確認部４７などを簡単に付加することができる。したがって、本発明の棒状化粧料容器は、低コスト品から高級品まで、幅広い容器要求に対応できるものとなっている。
【００１７】
この自動スイッチ４２１、タイマー部４４を付加すれば、紫外線光照射部４１を自動的に消灯できる。また、作動確認部４７を設ければ、キャップ３をしたまま紫外線光照射部４１の点灯が確認でき、殺菌ユニット４に消灯用のタイマー部４４がなくとも紫外線光照射部４１の消し忘れを防止できる。
【００１８】
さらに、安全装置４６を付加すれば、キャップ３を外した状態で紫外線光照射部４１を点灯してしまい、有害紫外線光が目に当たってしまう事故を防止できる。
【図面の簡単な説明】
【００１９】
【図１】本発明実施例の棒状化粧料容器において、殺菌ユニットの紫外線光照射部を作動させたときの部分断面図である。
【図２】本発明実施例の棒状化粧料容器において、キャップを抜脱した時の部分断面図である。
【図３】本発明実施例の棒状化粧料容器の殺菌ユニットの回路の概念図である。
【実施例】
【００２０】
本発明実施例を図によって説明する。図１は、棒状化粧料を収納した容器本体に殺菌ユニット付きのキャップを嵌合させた部分断面図であり、図２は、容器本体よりキャップを抜脱した状態の部分断面図である。以下、詳細を説明する。
【００２１】
１は口紅、棒状のリップグロス、スティックファンデーションなどの棒状化粧料である。２は容器本体であり、前記棒状化粧料１を保持、収納している。この容器本体２内には、棒状化粧料１を任意で繰り上げ下げできる繰り出し機構２４を内装している。この容器本体２の先端部分には、繰り出し機構２４により繰り上げ下げされる棒状化粧料１が出没する出没口２１を設けている。また、容器本体２の中程外周には、嵌合部２２を設けている。この嵌合部２２の上端には、当接部２３を設けている。
【００２２】
４は殺菌ユニットであり、図３に示すように、各部位に電力を供給する電源部４３と、キャップ３の嵌合の有無を検知する嵌合センサー４５と、キャップ３が外れた状態で紫外線光照射部４１の点灯を防ぐ安全装置４６と、紫外線光照射部４１の点灯及び消灯を制御する電源スイッチ４２と、紫外線光照射部４１の点灯を所定時間で消灯するタイマー部４４と、紫外線光照射部４１の点灯を外部より確認できる作動確認部４７と、殺菌性のある紫外線光を照射する紫外線光照射部４１と、が主要な構成要素となっている。
【００２３】
３はキャップであり、容器本体２の出没口２１を覆い、嵌合部２２に嵌合する。キャップ３内には、前記キャップ３が容器本体２の嵌合部２２に嵌合した時、容器本体２の出没口２１と相対する位置に、前記殺菌ユニット４を止着する。
【００２４】
以下、殺菌ユニット４の詳細を図３により説明する。電源部４３には、紫外線光照射部４１の点灯、タイマー部４４及び嵌合センサー４５を作動させるための電力を供給する電池（図示しない）が収納されている。この電池には、棒状化粧料容器のキャップ４内に収容する関係から、ボタン型の小型電池を使用する。
【００２５】
嵌合センサー４５は、キャップ３内に摺動自在に内装した検知部材３１の位置情報によりキャップ３の嵌合状態、嵌合の有無を検知する。この検知部材３１はリング状をしており、キャップ３内に常時開口部３２方向に弾発した状態で摺動自在に内装する。この検知部材３１は、キャップ３を容器本体２の嵌合部２２に嵌合させた時、当接部２３に当接してキャップ３奥部に押し込まれ、キャップ３抜脱時に弾発力により開口部３２側に復元するようになっている。この検知部材３１がキャップ３の奥部側、開口部３２側に位置するかを嵌合センサー４５が検知し、キャップ３の嵌合状態を判断する。つまり、嵌合センサー４５は、検知部材３１がキャップ３の奥部側に位置するとキャップ３の嵌合状態であり、検知部材３１がキャップ３の開口部３２側に位置するとキャップ３の抜脱状態であると、それぞれ判断する。
【００２６】
安全装置４６は、嵌合センサー４５がキャップ３の抜脱状態を検知した時、紫外線光照射部４１を点灯しないようにする。この安全装置４６によって、キャップ３を外した状態で紫外線光照射部４１を点灯してしまい、有害紫外線光が目に当たってしまう事故を防止できる。
【００２７】
電源スイッチ４２は、紫外線光照射部４１の点灯及び消灯を制御する。この電源スイッチ４２は、紫外線光照射部４１の点灯及び消灯を任意で切り替えできる手動スイッチ４２２である。この手動スイッチ４２２に加え、自動スイッチ４２１を付加可能である。以下に自動スイッチ４２１の詳細を説明する。自動スイッチ４２１は、前記嵌合センサー４５がキャップ３の嵌合状態を検知した時、紫外線光照射部４１を点灯し、キャップ３の抜脱状態を検知した時、紫外線光照射部４１を消灯するものである。
【００２８】
タイマー部４４は、紫外線光照射部４１の点灯を所定時間で消灯するものである。このタイマー部４４を設ける事によって、紫外線光照射部４４の消し忘れを防止できる。
【００２９】
作動確認部４７は、紫外線光照射部４１の点灯を外部より確認するものである。この作動確認部４７には、殺菌ユニット４に付加したパイロットランプ４７１と、キャップ３若しくは容器本体２に設けられた窓部４７２とがある。このパイロットランプ４７１は、前記紫外線光照射部４１と並列に、外部より視認できる位置に設けられ、紫外線光照射部４１の点灯の間点灯するようになっている。また、窓部４７２は、容器本体２若しくはキャップ３の、前記紫外線光照射部４１の光が漏れる位置に設けられている。
【００３０】
紫外線光照射部４１には、紫外線ランプ（図示しない）が取り付けられ、キャップ３嵌合時、容器本体２の出没口２１を通して棒状化粧料１の先端の塗布部分１１に殺菌性のある紫外線光を照射する。この紫外線ランプは、棒状化粧料容器のキャップ３内に収容する関係から、紫外線発光ダイオード素子を使用する。
【産業上の利用可能性】
【００３１】
本発明の実施例の項にて、本発明の棒状化粧料容器の容器本体２に設けられた繰り出し機構２４の説明を省略したが、棒状化粧料１を任意に繰り出せる繰り出し機構２４であれば、実施可能で、回転操作により棒状化粧料１を繰り出す回転繰り出し機構や、押しボタンをスライドさせて棒状化粧料１を繰り出すスライド繰り出し機構など、公知の繰り出し機構が利用できる。
【００３２】
容器本体２に設けられた当接部２３は、本実施例では嵌合部２２の上端に設けているが、容器本体２の出没口２１と嵌合部２２の間に設ければよく、例えば、容器本体２の先端、出没口２１の周縁に設けても良い。また、この当接部２３に当接するキャップ３の検知部材３１も、本実施例ではリング状の形状を説明したが、キャップ３の容器本体２への嵌合に応じて上下に移動する形状であれば実施可能で、例えば、リミットスイッチのレバーのようなアーム状であっても良い。
【００３３】
本発明実施例において、殺菌ユニット４には図３にある様に、電源部４３、嵌合センサー４５、安全装置４６、電源スイッチ４２、タイマー部４４、作動確認部４７、及び紫外線光照射部４１を付加した構成を説明した。この各部位の構成、回路などの詳細な説明は省略したが、各部位の機能、作用、効果が果たせる一般的に知られる構成、回路、電気部品であれば実施、利用可能である。
【００３４】
この紫外線光照射部４１、電源スイッチ４２の手動スイッチ４２２、及び電源部４３が本発明を実施できる最小の構成である。そして、必要に応じて他の部位を付加すればよい。このうち、電源スイッチ４２に利用される自動スイッチ４２１と手動スイッチ４２２は、両方設けるか、少なくともどちらか片方を設ければよい。ただし、自動スイッチ４２１にする場合、キャップ３嵌合の有無を検知する嵌合センサー４５が必須であり、キャップ３嵌合時の消灯手段も必要で、タイマー部４４と手動スイッチ４２２の両方か少なくとも片方を設ける必要がある。また、作動確認部４７のパイロットランプ４７１は、キャップ３に単独で設ける事も、手動スイッチ４２２に組み込み、スイッチ自体を点灯させることも可能である。
【符号の説明】
【００３５】
１    棒状化粧料
２    容器本体
３    キャップ
４    殺菌ユニット
２１    出没口
２２    嵌合部
２３    当接部
３１    検知部材
３２    開口部
４１    紫外線光照射部
４２    電源スイッチ
４３    電源部
４４    タイマー部
４５    嵌合センサー
４６    安全装置
４７    作動確認部
４２１    自動スイッチ
４２２    手動スイッチ
４７１    パイロットランプ
４７２    窓部
0
【図１】
2022002592.tif 000003
【図２】
2022002592.tif 000004
【図３】
2022002592.tif 000005